【事件の表示】
　商願２００３−９４６３３拒絶査定不服審判事件について、次のとおり審決する。
【結　論】
　本件審判の請求は、成り立たない。
【理　由】
　
　１　本願商標  
　本願商標は、「ＶＡＬＥＮＴＩＮＯＧＩＯＮＤＩＩ」及び「バレンチノジオンディ」の文字を二段に横書きしてなり、第１８類「かばん類，袋物」を指定商品として、平成１５年１０月２７日に登録出願されたものである。  
 　 　  
　２　原査定の拒絶理由  
　原査定は、「本願商標は、その構成中にイタリアのデザイナー「Ｖａｌｅｎｔｉｎｏ　Ｇａｒａｖａｎｉ」が「婦人・紳士物衣料品、バッグ」等の商品に使用して本願出願前から我が国において広く知られている「ＶＡＬＥＮＴＩＮＯ」「バレンチノ」の文字を有しているから、これをその指定商品に使用するときには、前記デザイナー、あるいは前記者と何らかの関係を有する者の業務に係る商品であるかの如く、商品の出所について混同を生じさせるおそれがあるものと認める。したがって、本願商標は、商標法第４条第１項第１５号に該当する。」旨認定、判断し、本願を拒絶したものである。 
 　  
　３　当審における証拠調べ通知  
　本願商標が商標法第４条第１項第１５号に該当するか否かについて、当審において証拠調べを行い、下記の事実を発見したので、商標法第５６条第１項で準用する特許法第１５０条第５項の規定に基づき、意見書を提出する相当の期間を指定して、平成１８年９月２５日付けで請求人に証拠調べの結果を通知した。  
　
 　　　　　　　　　　　　　　　　記 　 
　
　「ＶＡＬＥＮＴＩＮＯ　ＧＡＲＡＶＡＮＩ」「ヴァレンティノ・ガラヴァーニ」「Ｖａｌｅｎｔｉｎｏ　Ｇａｒａｂａｎｉ」の他、「バレンチノ」「ヴァレンティノ」「ＶＡＬＥＮＴＩＮＯ」「ｖａｌｅｎｔｉｎｏ」が使用されている事実。  
　
（１）「世界の一流品大図鑑ライフカタログＶＯＬ．１」（昭和５１年６月５日株式会社講談社発行）において、「ヴァレンティノ・ガラバーニ」が、「イタリアファッション界の旗手と呼ばれ、女性を最高に美しく見せるデザイナーとして高く評価されている。」こと、及びその経歴等を紹介する内容とともに「ブラウス、セーター、ネクタイ」の商品の写真が掲載されていること。  
（２）「ＥＵＲＯＰＥ一流ブランドの本（講談社ＭＯＯＫ第２巻）」（昭和５２年１２月１日株式会社講談社発行）において、「ヴァレンティノ　ガラバーニ」の所有する店舗の紹介と簡単な経歴が「婦人服」の商品と共に掲載されていること。  
（３）「服飾辞典」（昭和５４年３月５日第１刷文化出版局発行）の、ヴァレンチィーノ　ガラヴァーニ［Ｖａｌｅｎｔｉｎｏ　Ｇａｒａｂａｎｉ、１９３２〜］の項に、「イタリア北部の都市（ヴォゲラ）に生まれる。１７才でリセオ（中学）を中退、パリに行く。スチリストになるため、パリのサンジカ（パリ高級衣装店組合の学校）で技術を身につける。１９５１年、ジャン・デッセ（オート・クチュール）のもとで５年間アシスタントとして仕事をする。その後２年間、ギ・ラローシュのアシスタントをし、１９５８年独立、ヴァレンティーノ・クチュールの名でローマに店を開いた。このころ、イタリアのモードは世界的に有名になりつつあった。彼の最初の仕事は、フィレンツェのピッティ宮殿でのコレクションである。このコレクンョンは、〈白だけの服〉という珍しい演出であったが、その美しさはジャーナリストの間で評判となり、「ニューズ・ウィーク」「ライフ」「タイム」「ウィメンズ・ウェア・デイリー」各誌紙で取材、モードのオスカー賞を獲得した。１９６７年、ヴァレンティーノの名は世界に知れわたった。１９７２年には紳士物も始め、その他アクセサリー、バッグ、宝石類、香水、化粧品、家具、布地、インテリアと、その仕事の幅はたいへん広いが、すべてヴァレンティーノ独特のセンスを保っているのはみごとである。ヴァレンティーノの洋服に対する考えは、まず個性が第一で、彼のコレクションからは、デテールでなくそのエスプリをくみ取ってもらうことに重きをおく。ローマの高級住宅地、アッピア・アンティカに母親とたくさんの犬と暮らしている。仕事でパリとローマを行き来するが、世界中を旅行するなど忙しい日々である。物をつくる人は誰でも波があって、いつも傑作が続くとはかぎらないが、ヴァレンティーノは現在、ローマのオート・クチュール界で最も好調なデザイナーといえる。以前から東洋風なエキゾティシズムが好きで、時によってトルコ風、アラブ風の特色がみられるが、最近はキモノのセクシーさを１９５０年代のハリウッドの雰囲気に表現、あやしく美しいヴァレンティーノの世界をつくり出している。」との紹介記事が掲載されていること。  
（４）「朝日新聞」（昭和５７年１１月２０日夕刊第３頁）において、世界の服をリードする３人のうちの１人として「バレンチノ」の紹介記事が掲載されていること。  
（５）「男の一流品大図鑑’８５年版」（昭和５９年１２月１日株式会社講談社発行）において、「ＶＡＬＥＮＴＩＮＯ　ＧＡＲＡＶＡＮＩ」「ヴァレンティノ・ガラヴァーニ」の文字とともに、「スーツ、ブルゾン、シャツ、ネクタイ、ベルト及びバッグ」の商品が掲載されていること。  
（６）雑誌「ｎｏｎ−ｎｏ」１９８９年　Ｎｏ．２３号（平成元年１２月５日株式会社集英社発行）及び「ｍａｒｉｅ　ｃｌａｉｒｅ」（１９９６年２月１日中央公論社発行）において、「ヴァレンティノ　ガラバーニ」が単に「ヴァレンティノ」と略称され、商品「婦人服」等と共に掲載されていること。  
（７）「英和商品名辞典」（１９９０年株式会社研究社発行）［Ｖａｌｅｎｔｉｎｏ　Ｇａｒａｖａｎｉ］の項において、「イタリア　ＲｏｍａのデザイナーＶａｌｅｎｔｉｎｏ　Ｇａｒａｖａｎｉ（１９３２−）のデザインした婦人・紳士物の衣料品・毛皮・革製バッグ・革小物・ベルト・ネクタイ・アクセサリー・婦人靴・香水・ライター・インテリア用品など。Ｒｏｍａ，Ｆｉｒｅｎｚｅ，Ｍｉｌａｎｏなどにあるその店の名称はＶａｌｅｎｔｉｎｏ（ｖは小文字でかくこともある）。・・・」との記事及びデザイナーとしての紹介記事が掲載されていること。  
（８）「世界の一流品大図鑑’９３年版」（平成５年５月２０日株式会社講談社発行）において、「ＶＡＬＥＮＴＩＮＯ」ブランドの香水が掲載されていること。  
（９）「岩波＝ケンブリッジ世界人名辞典」（１９９７年１１月２１日株式会社岩波書店発行）の［ガラヴァーニ］の項において「ヴァレンティノ　Ｇａｒａｖａｎｉ，Ｖａｌｅｎｔｉｎｏ通称ヴァレンティノ　Ｖａｌｅｎｔｉｎｏ（伊　１９３３〜）服飾デザイナー・・・・」との紹介記事が掲載されていること。  
　同じく、［ヴァレンティノ　Ｖａｌｅｎｔｉｎｏ］の項において、「ガラヴァーニ、ヴァレンティノ」を見よとの表示があること。  
（１０）２０００．３．３　日刊スポーツ  
　連載　パリコレ短信（５）原点に返った「バレンチノ」の見出しの下、「１つの色でまとめるファッションは「バレンチノ」にとって意味深い。世界的に有名になったきっかけが、６７年の白１色のコレクションだった。  
◆神田うののワンポイントメモ  
バレンチノ、ジバンシー、ランバンなど、しにせのブランドも頑張ってますね。 
◆バレンチノ　１９３２年イタリア生まれのバレンチノ・ガラバーニ氏が６０年にスタート。故ジャクリーヌ・ケネディさんがオナシス氏との結婚式で着たレースのミニドレスは世界中の雑誌の表紙に取り上げられた。同氏はエリザベス・テーラーと親友で、９１年、リズが８回目の挙式で着たウエディングドレスを制作した。「Ｖ」のブランドロゴでおなじみ。」との紹介記事が掲載されていること。  
（１１）「世界の一流品大図鑑’９８年版」（１９９８年５月３０日株式会社講談社発行）において、婦人服の項に「ＶＡＬＥＮＴＩＮＯ」「ヴァレンティノ」が「今シーズンのイメージは『ウエスタン』。ハードなテーマに、女性らしい知性やエレガンスを加え、最高級の素材使いでゴージャスに仕上げています。」と紹介されているとともに、「ドレス、ジャケット、パンツ」の商品の写真が掲載されていること。 
 　 
　４　請求人（出願人）は、上記３の証拠調べ通知に対し、所定の期間を経過するも何らの応答もない。　  
  
　５　当審の判断  
（１）上記３の証拠調べのとおり、「Ｖａｌｅｎｔｉｎｏ　Ｇａｒａｖａｎｉ」（ＶＡＬＥＮＴＩＮＯ　ＧＡＲＡＶＡＮＩ）「ヴァレンティノ　ガラヴァーニ」は、国際的なトップデザイナーとして、本願商標の登録出願時には既に、我が国において著名であったものと認められる。また、同氏の名前は、「Ｖａｌｅｎｔｉｎｏ　Ｇａｒａｖａｎｉ」（ＶＡＬＥＮＴＩＮＯ　ＧＡＲＡＶＡＮＩ）「ヴァレンティノ　ガラヴァーニ」とフルネームで表示され、このフルネームをもって紹介されることも多いが、同時に辞書類、新聞、雑誌等に掲載された中には、単に「Ｖａｌｅｎｔｉｎｏ」（ＶＡＬＥＮＴＩＮＯ）「ヴァレンティノ」と略して採り上げられており、ファッション関連分野に関して「Ｖａｌｅｎｔｉｎｏ」（ＶＡＬＥＮＴＩＮＯ）「ヴァレンティノ」といえば同氏を指すものと広く認識されるに至っているというべきである。そして、同氏がデザインした婦人服、紳士服、アクセサリー、バック類、インテリア用品等のファッション関連商品は、「Ｖａｌｅｎｔｉｎｏ　Ｇａｒａｖａｎｉ」（ＶＡＬＥＮＴＩＮＯ　ＧＡＲＡＶＡＮＩ）「ヴァレンティノ　ガラヴァーニ」及びその略称として「Ｖａｌｅｎｔｉｎｏ」（ＶＡＬＥＮＴＩＮＯ）「ヴァレンティノ」の商標をもって我が国の取引者、需要者の間に広く知られていたというべきであり、このことは、少なくとも本願商標の登録出願時である平成１５年１０月２７日前において既に我が国の取引者、需要者間に広く認識せられていたものであり、また、その状況は現在に至るまで継続しているものとみて差し支えないものである。  
（２）しかして、本願商標は「ＶＡＬＥＮＴＩＮＯＧＩＯＮＤＩＩ」及び「バレンチノジオンディ」の文字を書してなるところ、これより外国人の氏名であるかの如くに理解される場合があるとしても、かかる欧文字を一体のものとして印象づけて記憶するような格別の事情に乏しい状況にあっては、これより生ずる全体の称呼も比較的冗長に亘ることと相俟って、これに接する需要者は、その構成中の「ＶＡＬＥＮＴＩＮＯ」と「ＧＩＯＮＤＩＩ」また、「バレンチノ」と「ジオンディ」の各文字のうち、記憶、印象しやすい文字部分により取引に資する場合も決して少なくないものというべきである。
　加えて、「ＶＡＬＥＮＴＩＮＯ　ＧＡＲＡＶＡＮＩ」の略称「ＶＡＬＥＮＴＩＮＯ」は、「婦人服，紳士服，アクセサリー，バッグ」等に使用して、本願商標の登録出願前より、取引者、需要者の間でデザイナーブランドとして広く一般に認識されおり、かつ、これらの商品と本願商標の指定商品、「かばん類，袋物」等の商品とは密接な関連性を有しており、両商品の取引者、需要者の相当部分が共通している。 
　したがって、上記の事情に照らせば、本願商標をその指定商品について使用した場合、これに接する取引者、需要者は、本願商標構成中の「ＶＡＬＥＮＴＩＮＯ」及び「バレンチノ」の文字部分に強い注意力が注がれ、「ＶＡＬＥＮＴＩＮＯ　ＧＡＲＡＶＡＮＩ」を想起、連想するとともに、同人に係る一連のデザイナーブランドであるかの如く誤認し、或いは、同人と組織的、経済的に何らかの関係にある者の業務に係る商品であるかの如く、商品の出所について混同（広義の混同）を生ずるおそれがあるのものといわなければならない。  
　また、請求人の主張する、「Ｖａｌｅｎｔｉｎｏ」、「ＶＡＬＥＮＴＩＮＯ」が、イタリアではありふれた名前であるとしても、少なくとも我が国においては、「Ｖａｌｅｎｔｉｎｏ」、「ＶＡＬＥＮＴＩＮＯ」は、ありふれた氏又は名でなく、一定程度の独創性を備えたものといえるものであり、かつ、ファッション関連からみれば、上述のとおり国際的なトップデザイナー「ヴァレンティノ・ガラヴァーニ(Ｖａｌｅｎｔｉｎｏ Ｇａｒａｖａｎｉ)」又はそのデザイナーズブランドないしはその作品群を容易に想起するものである。 
　さらに、請求人は、本願商標に係る登録例を挙げて本願商標登録の正当性について述べているが、審理に当たっては、既登録例に何ら拘束されることなく客観的証拠に基づき個別具体的に判断するものであり、これをもって上記認定が左右されるものではない。  
（３）なお、「ＶＡＬＥＮＴＩＮＯ」の文字をその構成中に有する登録商標に関して、本件と同様に審決又は異議決定をしたものに対する東京高等裁判所、知的財産高等裁判所における行政訴訟事件において、次のとおり判決されているところである。  
（ａ）平成１４年（行ケ）第２０１号事件(審判番号07-07234　商標登録第2699605号 商標「ＧＩＡＮＮＩ ＶＡＬＥＮＴＩＮＯ」指定商品第19類「台所用品、日用品」)は、平成１５年９月３０日に請求を棄却する旨の判決が言い渡された。  
（ｂ）平成１４年（行ケ）第３５４号事件(審判番号09-20430　商標登録第2614322号 商標「ＧＩＡＮＮＩ ＶＡＬＥＮＴＩＮＯ」指定商品第22類「はき物、かさ、つえ、これらの部品および附属品」)は、平成１５年９月３０日に請求を棄却する旨の判決が言い渡された。
（ｃ）平成１４年（行ケ）第３７０号事件(審判番号08-20103　商標登録第2357409号 商標「ＲＵＤＯＬＰＨ ＶＡＬＥＮＴＩＮＯ」指定商品第17類「被服(運動用特殊被服を除く)布製身回品(他の類に属するものを除く)寝具類(寝台を除く) 」)は、平成１５年９月２９日に請求を棄却する旨の判決が言い渡された(なお、上告(平成15(行ノ)201、平成15(行サ)第182、平成15(行ツ)333、平成15(行ヒ)353)されたが平成１７年７月１１日に上告棄却。）。
（ｄ）平成１４年（行ケ）第４０２号事件(審判番号09-02833　商標登録第2715313号 商標「Ｒｕｄｏｌｐｈ　Ｖａｌｅｎｔｉｎｏ／「Ｖ」図形」指定商品第17類「被服(運動用特殊被服を除く)布製身回品(他の類に属するものを除く)寝具類(寝台を除く) 」)は、平成１５年９月２９日に請求を棄却する旨の判決が言い渡された(なお、上告(平成15(行ノ)202号、平成15(行サ)183、平成15(行ツ)334、平成15(行ヒ)354)されたが平成１７年７月１１日に上告棄却。)。
（ｅ）平成１４年（行ケ）第４０５号事件(審判番号11-35033　商標登録第2629700号 商標「ｖａｌｅｎｔｉｎｏ ／ｏｒｌａｎｄｉ」指定商品第17類「被服、布製身回品、寝具類」)は、平成１５年６月１９日に請求を棄却する旨の判決が言い渡された。
（ｆ）平成１４年（行ケ）第４２１号事件(審判番号10-35465　商標登録第2582891号 商標「ｖａｌｅｎｔｉｎｏ ／ｏｒｌａｎｄｉ」指定商品第17類「はき物、かさ、つえ、これらの部品および附属品」)は、平成１５年６月１９日に請求を棄却する旨の判決が言い渡された。
（ｇ）平成１６年（行ケ）第３３５号事件（異議番号2003-90376　商標登録第4658091号 商標「「ＳとＶ」のモノグラム図形／ＳＩＬＶＩＯ ＶＡＬＥＮＴＩＮＯ」指定商品第3類「せっけん類、薫料、つけづめ、つけまつ毛、歯磨き、靴クリーム、靴墨」）は、平成１７年２月２４日に請求を棄却する旨の判決が言い渡された。
（ｈ）平成１７年（行ケ）第１０２７０号事件（異議番号平成10-92002号　商標登録第4161151号　商標 「モノグラム図形／ＧＩＯＶＡＮＮＩ　ＶＡＬＥＮＴＩＮＯ」指定商品第25類「被服、ガータ、靴下止め、ズボンつり、バンド、ベルト、履物、運動用特殊衣服、運動用特殊靴」）は、平成１７年９月２８日に請求を棄却する旨の判決が言い渡された。
（ｉ）平成１７年（行ケ）第１０４９１号事件（審判番号2002-12122号　商願2001-56565商標 「図形／ＦＥＭＭＩＯ　ＶＡＬＥＮＴＩＮＯ」指定商品第21類「ガラス基礎製品（建築用のものを除く。）、なべ類、その他」）は、平成１７年１２月２０日に請求を棄却する旨の判決が言い渡された。
（４）以上のとおり、本願商標は、他人の業務に係る商品とその出所について混同を生ずるものというべきであるから、本願商標が商標法第４条第１項第１５号に該当するとして本願を拒絶した原査定は、妥当であって、取り消すことはできない。
　よって、結論のとおり審決する。